(57)【特許請求の範囲】
【請求項１】
被覆電線に切り込んで芯線部分に接触する圧接部を有する端子金具を収容可能なキャビティを備え、かつこのキャビティのうち前記圧接部の対応部分が前記被覆電線の押し込み方向に開放する開口部を備えたコネクタハウジングと、このコネクタハウジングに前記開口部を閉止できるよう装着可能で、前記被覆電線を屈曲状態に強制保持するための押圧片部が形成されたカバーとを備えたコネクタであって、
前記コネクタハウジングにおける前記押圧片部と対向する上面には、前記被覆電線を嵌込み可能であって円弧形に凹んだ電線受け溝と、前記電線受け溝の左右両側に位置する水平な平坦状受け部とが形成され、前記電線受け溝の左右両側縁が概ね角張った開口縁となっていて、前記概ね角張った開口縁を介して前記電線受け溝と前記平坦状受け部とが接続された形態となっており、
前記押圧片部における前記コネクタハウジングと対向する先端面には、円弧状に膨出する形態であって前記電線受け溝と対応するように配置されて前記被覆電線を押圧可能な押圧突部と、前記平坦状受け部と平行であって前記押圧突部の左右両側に位置する平坦状押圧部とが形成されているとともに、前記押圧突部と前記平坦状押圧部との境界が凹状部分となっており、
前記押圧片部の先端面と前記コネクタハウジングの対向面との全幅間で前記被覆電線を挟持する空間が形成され、
この空間は、電線保持空間とその電線保持空間に隣接して連通する予備的な空間とから構成され、
前記電線保持空間は、前記押圧突部と前記電線受け溝とによって形成され、
前記予備的な空間は、前記電線保持空間と略同一高さに設定され、前記平坦状受け部と前記平坦状押圧部とを備えて構成され、
前記予備的な空間において前記被覆電線が前記平坦状受け部と前記平坦状押圧部との間で挟まれた状態では、前記電線受け溝の前記概ね角張った開口縁が前記被覆電線を前記凹状部分に押圧することで、前記被覆電線の幅方向への移動が規制されるようになっていることを特徴とするコネクタ。
【請求項２】
前記予備的な空間は、前記電線保持空間の両側に設けられていることを特徴とする請求項１に記載のコネクタ。
【発明の詳細な説明】
【０００１】
【発明の属する技術分野】
本発明は、被覆電線を保持するためのカバーを備えたコネクタに関するものである。
【０００２】
【従来の技術】
この種のコネクタとしては、図４に示すものがある。これは、内部に端子金具（図示せず）が収容されたコネクタハウジングａと、このコネクタハウジングａに取り付けられるカバーｂとからなり、端子金具に圧接した被覆電線ｃは、コネクタハウジングａの内部で屈曲されるとともに、コネクタの後端面（図４に表れている面）においてコネクタハウジングａとカバーｂの間から外部へ導出される。この導出部分においては、被覆電線ｃがコネクタハウジングａとカバーｂとの間で挟むことにより屈曲状態を保つようになっており、このように被覆電線ｃを屈曲状態に保持することで、被覆電線ｃに作用する引張り力が端子金具との圧接部分に及ばないようにしている。
【０００３】
【発明が解決しようとする課題】
コネクタハウジングａとカバーｂにおける被覆電線ｃの保持部分では、コネクタハウジングａとカバーｂとに夫々円弧状の凹部ｄ，ｅが形成され、被覆電線ｃはこれらの凹部ｄ，ｅに嵌合されることによって所定の位置に保持される。
ところが、カバーｂを組み付ける際に被覆電線ｃがコネクタハウジングａ側の凹部ｄに正しく載せられていないと、カバーｂを組み付けたときに、被覆電線ｃが凹部ｄ，ｅの側方部ｆ，ｇの間で挟まれることになるが、この側方部ｆ，ｇの間隔は被覆電線ｃの外径に比べて著しく狭いので、被覆電線ｃが過度に押し潰されてしまう虞がある。
尚、この対策として、コネクタハウジングａとカバーｂの対向面を全幅領域に亘って平行な平坦面状にして一定間隔の保持部分を設けることも考えられる。しかし、このようにした場合、被覆電線ｃが幅方向に遊動し易くなるという問題がある。
本願発明は上記事情に鑑みて創案され、被覆電線を過度に押し潰すことなく且つ遊動を規制しつつ保持することを目的としている。
【０００４】
【課題を解決するための手段】
請求項１の発明は、被覆電線に切り込んで芯線部分に接触する圧接部を有する端子金具を収容可能なキャビティを備え、かつこのキャビティのうち前記圧接部の対応部分が前記被覆電線の押し込み方向に開放する開口部を備えたコネクタハウジングと、このコネクタハウジングに前記開口部を閉止できるよう装着可能で、前記被覆電線を屈曲状態に強制保持するための押圧片部が形成されたカバーとを備えたコネクタであって、前記コネクタハウジングにおける前記押圧片部と対向する上面には、前記被覆電線を嵌込み可能であって円弧形に凹んだ電線受け溝と、前記電線受け溝の左右両側に位置する水平な平坦状受け部とが形成され、前記電線受け溝の左右両側縁が概ね角張った開口縁となっていて、前記概ね角張った開口縁を介して前記電線受け溝と前記平坦状受け部とが接続された形態となっており、前記押圧片部における前記コネクタハウジングと対向する先端面には、円弧状に膨出する形態であって前記電線受け溝と対応するように配置されて前記被覆電線を押圧可能な押圧突部と、前記平坦状受け部と平行であって前記押圧突部の左右両側に位置する平坦状押圧部とが形成されているとともに、前記押圧突部と前記平坦状押圧部との境界が凹状部分となっており、前記押圧片部の先端面と前記コネクタハウジングの対向面との全幅間で前記被覆電線を挟持する空間が形成され、この空間は、電線保持空間とその電線保持空間に隣接して連通する予備的な空間とから構成され、前記電線保持空間は、前記押圧突部と前記電線受け溝とによって形成され、前記予備的な空間は、前記電線保持空間と略同一高さに設定され、前記平坦状受け部と前記平坦状押圧部とを備えて構成され、前記予備的な空間において前記被覆電線が前記平坦状受け部と前記平坦状押圧部との間で挟まれた状態では、前記電線受け溝の前記概ね角張った開口縁が前記被覆電線を前記凹状部分に押圧することで、前記被覆電線の幅方向への移動が規制されるようになっている構成とされている。
【０００５】
請求項２の発明は、請求項１の発明において、前記予備的な空間は、前記電線保持空間の両側に設けられている構成とした。
【０００６】
【発明の作用及び効果】
［請求項１の発明］
コネクタハウジングとカバーとの間には被覆電線を保持するための空間として、電線保持空間の他に略同一高さの予備的な空間が設けられているので、被覆電線が電線保持空間から側方にずれても、被覆電線は過度に押し潰されずに済む。被覆電線が電線保持空間で保持される場合には、被覆電線は電線受け溝内に収容されるので幅方向へ遊動することはなく、また、予備的な空間で保持される場合も、電線受け溝の開口縁が被覆電線に対して食い込むように押圧するので、この場合にも、被覆電線の幅方向の遊動が規制される。
【０００７】
［請求項２の発明］
予備的な空間を電線保持空間の両側に設けたので、被覆電線が電線保持空間の左右どちらにずれた場合でも、被覆電線の過度の押し潰しと幅方向への遊動を回避することができる。
【０００８】
【発明の実施の形態】
［実施形態１］
以下、本発明を具体化した実施形態１を図１乃至図３を参照して説明する。
本実施形態のコネクタは、コネクタハウジング１０、カバー２０、端子金具３０及び被覆電線３５からなる。
コネクタハウジング１０はその内部に複数のキャビティ１１を有し、各キャビティ１１は、コネクタハウジング１０の前後両端面（図２における左右両端面）に開口されている。また、コネクタハウジング１０の上面における略後半領域には、キャビティ１１に連通する開口部１２が形成されている。
また、コネクタハウジング１０の後端部（図２における右端部）には、キャビティ１１の底面に対して段差状に低くすることによって電線受け溝１３が形成されている。この電線受け溝１３は、各キャビティ１１毎にその後端に連なる形態で個別に設けられ、コネクタハウジング１０の後端面に開口されている。この電線受け溝１３を後方から視ると、被覆電線３５の外周とほぼ同一曲率の円弧形をなしている。また、電線受け溝１３の左右両側には平坦状受け部１４が形成されている。この平坦状受け部１４の幅方向の寸法は、被覆電線３５の外径よりも小さく設定されている。この平坦状受け部１４と電線受け溝１３との接続部分即ち電線受け溝１３の開口縁１３Ａは、比較的角張った形態とされている。尚、電線受け溝１３とその両側の平坦状受け部１４とは本発明における押圧片部２３との対向面１５を構成する。さらに、この対向面１５の左右両端（平坦状受け部１４の外側端）には、被覆電線３５の幅方向の変位を規制するための規制壁部１６が上向きに突成されている。
【０００９】
カバー２０は、コネクタハウジング１０に対しその上面におけるキャビティ１１の開口部１２を覆うように上方から組み付けられ、カバー２０の係止片２１をコネクタハウジング１０の受け突起１７に係合させることにより組付け状態にロックされる。カバー２０の下面（コネクタハウジング１０と対向する面）には、後述するように被覆電線３５を圧接部３３に圧接した後にその被覆電線３５の遊動を規制するための圧接用突部２２が形成されている。
【００１０】
カバー２０の後端縁には下向きに突出する押圧片部２３が形成されている。この押圧片部２３は各電線受け溝１３と個別に対応するように複数片設けられ、各押圧片部２３の幅は、コネクタハウジング１０の規制壁部１６の間にほぼ緊密に嵌合する寸法に設定されている。押圧片部２３の下面（電線受け溝１３と対向する面）における幅方向中央部には、下方へ円弧状に膨出する押圧突部２４が形成されているとともに、この押圧突部２４の左右両側には平坦状押圧部２５が形成されている。
【００１１】
押圧突部２４の円弧と電線受け溝１３の円弧とは同一の曲率に設定され、且つ押圧突部２４の円弧の中心と上記電線受け溝１３の円弧の中心とは幅方向において同一位置となるように設定されている。したがって、カバー２０をコネクタハウジング１０に組み付けた状態においては、押圧突部２４と電線受け溝１３との間の上下方向の間隔は、幅方向において一定の寸法Ｌとなる。尚、この寸法Ｌは、被覆電線３５の外径よりも小さく設定されている。そして、この押圧突部２４と電線受け溝１３との間には、被覆電線３５を挟み付け状態で保持するための電線保持空間Ｓａが構成されるようになっている。
【００１２】
また、カバー２０を組み付けた状態において、平坦状押圧部２５は平坦状受け部１４と平行であり、したがって平坦状押圧部２５と平坦状受け部１４との上下方向の間隔は幅方向において一定になる。そして、この平坦状押圧部２５と平坦状受け部１４の間隔は上記押圧突部２４と電線受け溝１３との間隔Ｓ同じ寸法Ｌに設定されている。そして、この平坦状押圧部２５と平坦状受け部１４との間には、被覆電線３５を挟み付け状態で保持するための予備的な空間Ｓｂが構成されるようになっており、この予備的な空間Ｓｂは上記電線保持空間Ｓａの左右両側に隣接することになる。
そして、電線保持空間Ｓａとその両側の予備的な空間Ｓｂとにより、押圧片部２３とコネクタハウジング１０の対向面１５との間の全幅領域に亘って（規制壁部１６の間で）被覆電線３５を挟持可能な空間Ｓが構成されている（図３を参照）。
【００１３】
各キャビティ１１には、端子金具３０が収容されている。端子金具３０は、その前端から後端に至る底板部３１の左右両側縁から側壁部３２を立ち上げるとともに、底板部３１の一部を切り起こすことによって前後一対の圧接部３３を形成した形状とされている。この一対の圧接部３３はキャビティ１１の上面側の開口部１２と対応するように配置され、この圧接部３３に被覆電線３５が圧接されている。
【００１４】
被覆電線３５は、導電性の芯線３６の外周に絶縁用の樹脂被覆３７を施したものである。この被覆電線３５は各キャビティ１１の上面側の開口部１２から圧接部３３の上端に載せられ、かかる状態で圧接用の治具（図示せず）で押し下げられることにより、被覆電線３５が圧接部３３に圧接される。圧接部３３はその上端縁から下方へ延びるスリット（図示せず）を有し、そのスリットの両側縁が圧接刃（図示せず）となっている。圧接の過程では樹脂被覆３７が圧接刃により切開され、その圧接刃と芯線３６が接触することで、端子金具３０と被覆電線３５が導通可能となる。
【００１５】
さて、上述のようにカバー２０をコネクタハウジング１０に組付けつつ被覆電線３５を端子金具３０に圧接した状態では、コネクタハウジング１０の後端部において、被覆電線３５は、カバー２０の押圧片部２３で上から押さえ付けられることによりＳ字状に屈曲しつつキャビティ１１の後端から電線受け溝１３に至る経路で配索されている。そして、この屈曲経路で配索された被覆電線３５は、電線受け溝１３からコネクタハウジング１０の外部へ後向き（図２における右方向）に導出される。
このように、被覆電線３５を強制的に屈曲させて配索した状態では、被覆電線３５の導出部分に対して軸方向の引張力が作用しても、被覆電線３５の屈曲部分が押圧片部２３の下端縁や電線受け溝１３の前端縁に引っ掛かり、その引っ掛かり部分において引張力が受け止められる。これにより、引張り力が被覆電線３５と端子金具３０との圧接部３３分に及ぶことが阻止され、正規の圧接状態を保つことができるようになっている。
【００１６】
さて、上記のように押圧片部２３とコネクタハウジング１０との間で被覆電線３５を挟持する形態として、通常、被覆電線３５は、電線保持空間Ｓａ内において電線受け溝１３に嵌合して押圧突部２４で押さえ付けられた状態となる（図３の左側に示す）。この状態では、被覆電線３５は押圧突部２４と電線受け溝１３との間で上下方向に弾性的に僅かに押し潰されただけであり、過度に潰れ変形することはない。また、被覆電線３５は円弧形の電線受け溝１３に嵌まり込んでいるので幅方向へ遊動する虞はない。
【００１７】
これに対し、被覆電線３５が電線受け溝１３から側方へずれた状態でカバー２０を組み付けた場合には、被覆電線３５は電線保持空間Ｓａの中心から外れ、予備的な空間Ｓｂ内において平坦状押圧部２５と平坦状受け部１４との間で挟持されることになる（図３の右側に示す）。この予備的な空間Ｓｂの上下方向の寸法Ｌは、電線保持空間Ｓａと同一寸法であるから、被覆電線３５が過度に押し潰されることはない。
また、予備的な空間Ｓｂの幅方向の寸法が被覆電線３５の外径よりも小さく設定されていることから、被覆電線３５は、その一方の側部（図３においては右側）を規制壁部１６に近接又は当接させた状態でその反対側の側部を電線保持空間Ｓａへはみ出させた状態となる。そして、被覆電線３５の下部には電線受け溝１３の略角張った開口縁１３Ａが僅かに食い込むようになり、これにより、被覆電線３５は上方へ押圧され、その上部は押圧突部２４と平坦状押圧部２５との間の凹状部分に嵌まり込むように押し付けられ、もって、被覆電線３５の幅方向への遊動が規制される。
【００１８】
上述のように本実施形態においては、被覆電線３５を挟持するための空間Ｓとして、電線保持空間Ｓａの他に電線保持空間Ｓａと同一間隔の予備的な空間Ｓｂを設けたので、被覆電線３５が幅方向に位置ずれしても、被覆電線３５が過度に押し潰されることが防止される。
また、電線保持空間Ｓａに挟持されている状態では被覆電線３５が円弧状の電線受け溝１３に嵌合することによって幅方向の遊動が規制されるとともに、予備的な空間Ｓｂにおいては、電線受け溝１３の開口縁１３Ａが被覆電線３５を押して押圧突部２４と平坦状押圧部２５の間に嵌め込むことで幅方向の遊動が規制される。
さらに、予備的な空間Ｓｂは電線保持空間Ｓａの左右両側に設けられているので、被覆電線３５が電線保持空間Ｓａの左右どちらにずれた場合でも、被覆電線３５の過度の押し潰しと幅方向への遊動を防止することができる。
【００１９】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では電線受け溝と押圧突部とを円弧状としたが、本発明によれば、方形や三角形状等の円弧以外の凹凸形状としてもよい。
（２）上記実施形態では予備的な空間を電線保持空間の両側に設けたが、本発明によれば、予備的な空間は電線保持空間の左右いずれか片側だけに設けてもよい。
【図面の簡単な説明】
【図１】実施形態１の背面図
【図２】実施形態１の断面図
【図３】実施形態１の部分拡大背面図
【図４】従来例の背面図
【符号の説明】
１０…コネクタハウジング
１１…キャビティ
１２…開口部
１３…電線受け溝
１３Ａ…電線受け溝の開口縁
２０…カバー
２３…押圧片部
２４…押圧突部
３０…端子金具
３３…圧接部
３５…被覆電線
Ｓ…空間
Ｓａ…電線保持空間
Ｓｂ…予備的な空間
【図１】
0003823538.tif 000002
【図２】
0003823538.tif 000003
【図３】
0003823538.tif 000004
【図４】
0003823538.tif 000005